【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
回転軸に固定され、該回転軸と一体に回転する第１の羽根車と、
前記回転軸に回転可能に嵌合され、突起を設けた第２の羽根車と、
前記第１の羽根車と連動する駆動部材を備え、
前記第１の羽根車が停止状態から回転軸と共に回転したとき、前記駆動部材が前記突起に当接することで前記第２の羽根車が回転することを特徴とする羽根車機構。
【請求項２】
請求項１記載の羽根車機構において、
前記第１、第２の羽根車は、それぞれ外周に複数枚の羽根が半周の範囲内で放射状に設けられ、
前記第２の羽根車が回転するとき、前記第１、第２の羽根車の羽根が前記回転軸の全周に亘って放射状に展開することを特徴とする羽根車機構。
【請求項３】
請求項２記載の羽根車機構において、
前記第１、第２の羽根車は、媒体を集積する媒体収納部と、前記媒体を搬送するための搬送路の間に位置するように前記媒体収納部の媒体収納繰出し口に配置され、
前記搬送路を搬送されてきた媒体を前記媒体収納部に集積する際、前記第１、第２の羽根車を回転させて前記第１、第２の羽根車の羽根を前記媒体に接触させ、
集積処理終了後は前記第１、第２の羽根車の羽根を前記回転軸の半周の範囲内に位置して前記羽根が前記搬送路内に入り込まないように停止させることを特徴とする羽根車機構。
【請求項４】
請求項３記載の羽根車機構において、
前記第２の羽根車は回転途中で羽根が前記媒体に接触することで負荷を受けるようにしたことを特徴とする羽根車機構。
【請求項５】
請求項３または請求項４記載の羽根車機構において、
前記第１、第２の羽根車は、媒体を集積する昇降可能なステージを有する媒体収納部と、前記ステージ上における媒体の集積方向と直交する方向に向けて設けられた搬送路の間に位置するように前記媒体収納部の媒体収納繰出し口に配置されたことを特徴とする羽根車機構。
【請求項６】
請求項３または請求項４記載の羽根車機構において、
前記第１、第２の羽根車は、前記媒体の後端を叩くことにより、前記媒体に接触することを特徴とする羽根車機構。
【請求項７】
請求項１〜請求項６のいずれかに記載の羽根車機構において、
前記第２の羽根車の突起が前記駆動部に当接するように、前記第２の羽根車を回転方向に付勢する付勢手段を備えたことを特徴とする羽根車機構。
【請求項８】
請求項７記載の羽根車機構において、
前記付勢手段は、一端が第１の羽根車に固定され、他端が第２の羽根車に固定されたスプリングであることを特徴とする羽根車機構。
【請求項９】
請求項１〜請求項８のいずれかに記載の羽根車機構において、
前記第２の羽根車は、２つの突起を備え、前記第１の羽根車が停止状態から回転軸と共に回転したとき、前記第２の羽根車が負荷を受けることで前記駆動部材が前記第２の羽根車の一方の突起から離れ、前記駆動部材が前記第２の羽根車の他方の突起に当接して押すことで前記第１の羽根車および回転軸と共に前記第２の羽根車が回転することを特徴とする羽根車機構。
【請求項１０】
請求項１〜請求項９のいずれかに記載の羽根車機構において、
少なくとも前記第２の羽根車の羽根に当接する当接部材を設けて、この当接部材により負荷を受けるようにしたことを特徴とする羽根車機構。
【請求項１１】
請求項１〜請求項９のいずれかに記載の羽根車機構において、
前記第２の羽根車の近傍に板バネを設け、この板バネ先端に対して係合、解除可能な係合部を前記第２の羽根車の外周に設けて、該係合部が前記板バネ先端に係合することで、負荷を受けるようにしたことを特徴とする羽根車機構。
【請求項１２】
回転軸に固定され、該回転軸と一体に回転する第１の羽根車と、
前記回転軸に回転可能に嵌合され、突起を設けた第２の羽根車と、
前記第１の羽根車と連動する駆動部材を備え、
前記第１の羽根車が停止状態から回転軸と共に回転したとき、前記駆動部材が前記突起に当接することで前記第２の羽根車が回転する羽根車機構を備えたことを特徴とする媒体取扱い装置。
【手続補正２】
【補正対象書類名】明細書
【補正対象項目名】発明の名称
【補正方法】変更
【補正の内容】
【発明の名称】羽根車機構及び媒体取扱い装置
【手続補正３】
【補正対象書類名】明細書
【補正対象項目名】０００１
【補正方法】変更
【補正の内容】
【０００１】
本発明は、放射状に羽根を設けた羽根車を回転軸に取り付けた羽根車機構と、羽根車機構を備えていて、紙葉状の媒体の集積及び繰出しを行う媒体集積繰出し装置等の媒体取扱い装置に関するものである。
【手続補正４】
【補正対象書類名】明細書
【補正対象項目名】０００６
【補正方法】変更
【補正の内容】
【０００６】
そのため、本発明の羽根車機構は、回転軸に固定され、該回転軸と一体に回転する第１の羽根車と、前記回転軸に回転可能に嵌合され、突起を設けた第２の羽根車と、前記第１の羽根車と連動する駆動部材を備え、前記第１の羽根車が停止状態から回転軸と共に回転したとき、前記駆動部材が前記突起に当接することで前記第２の羽根車が回転することを特徴とする。
【手続補正５】
【補正対象書類名】明細書
【補正対象項目名】０００７
【補正方法】変更
【補正の内容】
【０００７】
このようにした本発明は、羽根車を第１の羽根車と第２の羽根車で構成しているため、媒体の繰出し集積を行う装置において集積する媒体を整列させる羽根車機構として用いる場合、第１の羽根車の回転を制御するのみで両羽根車の羽根を媒体の繰出しの妨げにならないように退避させることができ、羽根車を退避させるための専用モータやリンク等を必要としないため、簡単な構成で安価に実現できるという効果が得られる。
【手続補正６】
【補正対象書類名】明細書
【補正対象項目名】０００８
【補正方法】変更
【補正の内容】
【０００８】
また、前記第１、第２の羽根車は、それぞれ外周に複数枚の羽根が半周の範囲内で放射状に設けられるものとし、前記第２の羽根車が回転するとき、前記第１、第２の羽根車の羽根が前記回転軸の全周に亘って放射状に展開するようにしているため、回転速度や羽根の材質、厚さ、更には温度変化や経年変化等の影響を受けにくく、常に安定した動作が可能になるという効果も得られる。
【手続補正７】
【補正対象書類名】明細書
【補正対象項目名】０００９
【補正方法】変更
【補正の内容】
【０００９】
以下、図面を参照して本発明による羽根車機構及び媒体取扱い装置の実施例を説明する。
【手続補正８】
【補正対象書類名】明細書
【補正対象項目名】００２３
【補正方法】変更
【補正の内容】
【００２３】
図５は第１の実施例の羽根車機構を用いた紙幣集積繰出し装置（媒体取扱い装置）を示す側面図で、（ａ）は繰出し時の状態、（ｂ）は紙幣集積時の状態である。
図において１０は媒体としての紙幣、１１は紙幣収納部、１２は紙幣収納部１１内に上下動可能に設けられた紙幣集積用のステージである。
１３はフィードローラ、１４はピッカローラで、このピッカローラ１４はピッカアーム１５の一端に回転可能に軸支され、ピッカアーム１５の他端はフィードローラ１３の回転軸にその回転を受けないように取り付けられている。
【手続補正９】
【補正対象書類名】図面
【補正対象項目名】図５
【補正方法】変更
【補正の内容】
【図５】
2010116264.tif 000001